(57)【要約】【課題】コンセント安全装置を提供する。【解決手段】内部に接続端子を有する電源接続ユニットと、前記電源接続ユニットの上部に結合し、内側にプラグ収容部を有し、前記プラグ収容部の底面にソケット孔が貫通するコンセント本体と、前記コンセント本体の前記プラグ収容部の内側に位置し、スプリングの弾性によって前記プラグ収容部の内側で昇降され、前記ソケット孔に対応する接続孔が通孔される押し板と、前記コンセント本体の上部に結合し、前記押し板が前記コンセント本体の前記プラグ収容部から完全に分離するのを防ぐカバーと、を含むコンセントにおいて、前記押し板の前記接続孔を遮断し、プラグ端子を差し込んだときには、前記接続孔を開放し、差し込まれた前記プラグ端子を抜いたときには、前記接続孔を遮断する、回転型ロッキング体を備えることを特徴とする、コンセント安全装置。【選択図】図２
2015076406.tif 000002
【特許請求の範囲】
【請求項１】
内部に接続端子を有する電源接続ユニットと、
前記電源接続ユニットの上部に結合し、内側にプラグ収容部を有し、前記プラグ収容部の底面にソケット孔が貫通するコンセント本体と、
前記コンセント本体の前記プラグ収容部の内側に位置し、スプリングの弾性によって前記プラグ収容部の内側で昇降され、前記ソケット孔に対応する接続孔が通孔される押し板と、
前記コンセント本体の上部に結合し、前記押し板が前記コンセント本体の前記プラグ収容部から完全に分離するのを防ぐカバーと、
を含むコンセントにおいて、
前記押し板の上部に位置し、前記押し板の前記接続孔を遮断し、プラグ端子を差し込んだときには、前記プラグ端子の押し動作によって回転して前記押し板の前記接続孔を開放し、差し込まれた前記プラグ端子を抜いたときには、前記プラグ端子が差し込まれる前の位置に復帰して前記押し板の前記接続孔を遮断する、回転型ロッキング体を備え、
前記押し板には締結孔がさらに貫通し、
前記押し板の中央には第１結合孔がさらに通孔され、
前記回転型ロッキング体は、ロッキング体カバーと十字型ロッキング具を含み、
前記十字型ロッキング具には第２結合孔が通孔され、
前記ロッキング体カバーは、前記押し板の前記締結孔に締結される締結突起部と、前記十字型ロッキング具の前記第２結合孔に対応する位置に来る場合に、前記押し板の前記第１結合孔と前記十字型ロッキング具の前記第２結合孔に挟まれる結合ピンと、前記十字型ロッキング具の一面を密着支持する支持片と、前記押し板の前記接続孔と対応する差し込み孔と、前記十字型ロッキング具のスプリング締結突起に一側が挟まれた復帰スプリングの他側を密着して支持するスプリング支持片と、を含むことを特徴とする、
コンセント安全装置。
【請求項２】
前記十字型ロッキング具は、前記第１結合孔に対応するように前記第２結合孔が通孔されて一側外面に前記スプリング締結突起が突設され、
前記ロッキング体カバーは、前記十字型ロッキング具が内側に位置して支持され、さらに前記スプリング締結突起に一側が挟まれた復帰スプリングの他側が支持され、
前記回転型ロッキング体は、
前記十字型ロッキング具の両側から各々延びて前記押し板の前記接続孔に対応する位置に来る開閉部と、
前記十字型ロッキング具の前記スプリング締結突起に一側が挟まれる復帰スプリングと
前記押し板の前記第１結合孔と前記十字型ロッキング具の前記第２結合孔に挟まれる回転軸と、をさらに備えたことを特徴とする、請求項１に記載のコンセント安全装置。
【請求項３】
前記十字型ロッキング具の両側から各々延びる前記開閉部の上部には、一方向に傾斜した傾斜面が形成されていることを特徴とする、請求項２に記載のコンセント安全装置。
【発明の詳細な説明】
【技術分野】
【０００１】
本発明は、コンセント安全装置に関する。
【背景技術】
【０００２】
一般に、発電所で発電した電気の供給を受けて一般家庭で電気器具を使うために各家庭の壁には電気供給のための埋め込み型コンセントが設けられている。また、いくつかの電気器具を使うため、埋め込み型コンセント以外に追加でマルチタップを利用し、多数の電気器具を使うこともある。
【０００３】
しかし、従来のコンセントは、アース端子孔が常に開放された状態で形成されているため、子供たちが一字型挿入孔に箸などの物を挿入することによって、感電事故はもちろん挿入孔が埋まる、その内部のコンセント端子が破損して使用困難になるなどの問題が生じる場合があった。
【０００４】
さらに、開放されたアース端子孔を通して埃などの異物が流入し、短絡による事故が発生する危険性もあった。
【０００５】
そのため、コンセントを使わない場合には、コンセントの挿入孔を遮断するコンセントが開発されている。このようなコンセントは、非使用時に子供などが箸などを挿入孔に挿入することによる感電事故をある程度は防ぐことができるが、回転板の挿入口とアース端子孔が露出しているため、回転板の回転による上述のような挿入が行われる可能性を有するため、感電事故の恐れ、及びコンセントが損傷する問題を完全には克服できないのが現状である。
【０００６】
従来技術として、特許文献１に記載のコンセント安全装置が案出されている。これは非使用時コンセントの接続孔を閉鎖状態に維持し、使用時にだけ接続孔を開放可能にするコンセント安全装置において、プラグ（ｐｌｕｇ）挿入孔が形成されたカバーと、カバーの裏面に所定の間隔を置いて結合され、カバーの挿入孔と整列する連通孔を有するプレートと、カバーとプレートとの間に摺動可能に挿入されてプラグの接続ピンを差し込むようにした一対のピン孔を有し、ピン孔がコンセントの挿入孔から離れている係止位置とピン孔がコンセントの挿入孔と整列する開放位置との間で移動できる開閉板と、開閉管の外周縁と接触してその移動方向及び範囲を規制するための案内支持手段と、開閉板が係止位置に位置する時に開閉板の回転運動を許容して直線運動を阻止する手段と、開閉板を係止位置に復帰させるための弾性支持手段と、で構成され、コンセントの接続孔を選択的に開放させて非使用時には常時接続孔とアース端子孔が外部と遮断されている状態を維持することで、主に子供たちのいたずらによる事故を未然に防ぐようにしている。
【先行技術文献】
【特許文献】
【０００７】
【特許文献１】韓国公開特許第１０−１９９６−００３６２０７号公報
【特許文献２】韓国登録実用新案２０−０１９２４４１号公報
【発明の概要】
【発明が解決しようとする課題】
【０００８】
しかし、特許文献１に記載された従来のコンセント安全装置では、コンセントをプラグに差し込む際に必要な開閉板を回転させる動作が難しく、ユーザビリティが低下すると共に、プラグをコンセントに差し込みにくい問題があった。
【０００９】
また、特許文献１に記載の従来のコンセント安全装置において、開閉板に形成されるプラグを差し込むピン孔は、箸などで押すと回転するため、感電事故を生じることがあり、さらに開放されたアース端子孔を通して埃などの異物が流入して故障の原因となる問題があった。
【００１０】
そこで、本発明は、上記問題に鑑みてなされたものであり、本発明の目的とするところは、コンセントをプラグに差し込む際に難しい動作を必要とせず、子供たちがプラグの差し込み口を指や箸などで押した場合であっても事故を未然に防ぐことができ、さらに埃などの異物が流入して故障の原因となる問題を防ぐことが可能な、新規かつ改良されたコンセント安全装置を提供することにある
【課題を解決するための手段】
【００１１】
上記課題を解決するために、本発明のある観点によれば、内部に接続端子を有する電源接続ユニットと、前記電源接続ユニットの上部に結合し、内側にプラグ収容部を有し、前記プラグ収容部の底面にソケット孔が貫通するコンセント本体と、前記コンセント本体の前記プラグ収容部の内側に位置し、スプリングの弾性によって前記プラグ収容部の内側で昇降され、前記ソケット孔に対応する接続孔が通孔される押し板と、前記コンセント本体の上部に結合し、前記押し板が前記コンセント本体の前記プラグ収容部から完全に分離するのを防ぐカバーと、を含むコンセントにおいて、前記押し板の上部に位置し、前記押し板の前記接続孔を遮断し、プラグ端子を差し込んだときには、前記プラグ端子の押し動作によって回転して前記押し板の前記接続孔を開放し、差し込まれた前記プラグ端子を抜いたときには、前記プラグ端子が差し込まれる前の位置に復帰して前記押し板の前記接続孔を遮断する、回転型ロッキング体を備え、前記押し板には締結孔がさらに貫通し、前記押し板の中央には第１結合孔がさらに通孔され、前記回転型ロッキング体は、ロッキング体カバーと十字型ロッキング具を含み、前記十字型ロッキング具には第２結合孔が通孔され、前記ロッキング体カバーは、前記押し板の前記締結孔に締結される締結突起部と、前記十字型ロッキング具の前記第２結合孔に対応する位置となる場合に、前記押し板の前記第１結合孔と前記十字型ロッキング具の前記第２結合孔に挟まれる結合ピンと、前記十字型ロッキング具の一面を密着支持する支持片と、前記押し板の前記接続孔と対応する差し込み孔と、前記十字型ロッキング具のスプリング締結突起に一側が挟まれた復帰スプリングの他側を密着して支持するスプリング支持片と、を含むことを特徴とする、コンセント安全装置が提供される。
【００１２】
前記十字型ロッキング具は、前記第１結合孔に対応するように前記第２結合孔が通孔されて一側外面にスプリング締結突起が突設され、前記ロッキング体カバーは、前記十字型ロッキング具が内側に位置して支持され、さらに前記スプリング締結突起に一側が挟まれた復帰スプリングの他側が支持され、前記回転型ロッキング体は、前記十字型ロッキング具の両側から各々延びて前記押し板の前記接続孔に対応する位置に来る開閉部と、前記十字型ロッキング具のスプリング締結突起に一側が挟まれる復帰スプリングと、前記押し板の第１結合孔と前記十字型ロッキング具の第２結合孔に挟まれる回転軸と、をさらに備えてもよい。
【００１３】
前記十字型ロッキング具の両側から各々延びる前記開閉部の上部には、一方向に傾斜した傾斜面が形成されてもよい。
【発明の効果】
【００１４】
以上説明したように本発明によれば、コンセントをプラグに差し込む際に難しい動作を必要とせず、子供たちがプラグの差し込み口を指や箸などで押した場合であっても事故を未然に防ぐことができ、さらに埃などの異物が流入して故障の原因となる問題を防ぐことが可能である。
【図面の簡単な説明】
【００１５】
【図１】本発明の一実施形態に係るコンセント安全装置を概略的に図示した斜視図である。
【図２】本発明の一実施形態に係るコンセント安全装置を分解して概略的に図示した分解斜視図である。
【図３】本発明の一実施形態に係るコンセント安全装置の要部を概略的に図示した分解斜視図である。
【図４】本発明の一実施形態に係るコンセント安全装置の作用例を概略的に図示した概念構成図である。
【図５】本発明の一実施形態に係るコンセント安全装置の十字型ロッキングの作動関係を概略的に図示した概念図である。
【図６】本発明の他の実施形態に係るコンセント安全装置を概略的に図示した分解斜視図である。
【図７】本発明の他の実施形態に係る壁面型コンセント安全装置を壁に埋設した状態を概略的に図示した構成図である。
【発明を実施するための形態】
【００１６】
本発明の上記目的以外の目的及び特徴は、添付図面を参照した実施形態に関する以下の説明を通して明確になるであろう。
【００１７】
本出願で使った用語は、単に特定の実施形態を説明するために使われたもので、本発明を限定しようとする意図はなく、異なるように定義されない限り、技術的や科学的な用語を含んでここで用いられるすべての用語は、本発明が属する技術分野で通常の知識を有する者によって通常理解されるのと同じ意味を有する。一般に用いられる辞典に定義されているような用語は、関連技術の文脈上有する意味と一致する意味を有すると解釈されるべきであり、本出願で明白に定義しない限り、理想的または過度に形式的な意味と解釈されるべきでない。
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
図１〜図７に示したように、本発明の一実施形態に係るコンセント安全装置は、内部に接続端子１１を有する電源接続ユニット１０と、電源接続ユニット１０の上部に結合して内側にプラグ収容部２１を有し、プラグ収容部２１の底面にソケット孔２２が貫通するコンセント本体２０と、コンセント本体２０のプラグ収容部２１の内側に位置し、スプリング３１の弾性によってプラグ収容部２１の内側で昇降され、ソケット孔２２に対応する接続孔３２が通孔される押し板３０と、コンセント本体２０の上部に結合し、押し板３０がコンセント本体２０のプラグ収容部２１から完全に分離するのを防ぐカバー４０を含むコンセントにおいて、押し板３０の上部には押し板３０の接続孔３２を遮断し、プラグを差し込んだときには、プラグ端子１０１の押し動作によって回転して押し板３０の接続孔３２を開放するとともに下降し、差し込まれたプラグ端子１０１を抜いたときには、本来の位置に復帰して押し板３０の接続孔３２とアース端子孔３５を遮断する回転型ロッキング体５０を備えている。
【００２０】
上記のように構成された本発明において、プラグ端子１０１はコンセント本体２０に差し込まれることで必要な電気の供給を受けることができる。本発明は、図１に示したようなアダプタ型または図７に示したような壁面型など様々に変形実施されることは当然である。本発明では、ユーザーがコンセント本体２０にプラグ端子１０１を差し込む過程で、必ずプラグ端子１０１が回転型ロッキング体５０を通過してプラグ端子１０１をコンセント本体２０に差し込むことができるため、子供たちのいたずらによる事故を防ぐことができる。また、プラグ端子１０１を差し込む前にはコンセント本体２０のソケット孔２２とアース端子孔３５が十字型ロッキング具５３により遮断されるので、外部の埃などの異物が流入するのを防ぐことができる。さらに異物排出口２３を備え、埃などの異物が流入した場合でも異物排出口２３に抜け出るようになるため、回転型ロッキング体５０の上下作動はスムーズである。
【００２１】
また、特許文献１に記載された従来のコンセント安全装置は、韓国における１１０Ｖのプラグ専用として開発されたため、韓国における２２０Ｖのプラグを差し込んで使うことはできない問題があったが、本発明によるコンセント安全装置は、韓国における２２０Ｖのプラグに対応している。
【００２２】
さらに、本発明は、プラグ端子１０１を差し込む及び抜くことによって、十字型ロッキング具５３が回転して接続孔３２とアース端子孔３５を遮断する及び開放することができ、プラグ端子１０１を抜いた状態では回転型ロッキング体５０は強制的にロックされ下降しないため、ユーザビリティと安定性が大きく向上する。
【００２３】
押し板３０の中央には第１結合孔３３がさらに通孔され、回転型ロッキング体５０は、結合ピン６２に対応するように第２結合孔５１が通孔され、一側外面にスプリング締結突起５２が突設された十字型ロッキング具５３と、十字型ロッキング具５３の両側から各々延びて押し板３０の接続孔３２に対応する位置に来る開閉部５４と、十字型ロッキング具５３のスプリング締結突起５２に一側が挟まれる復帰スプリング５５で構成され、押し板３０の第１結合孔３３と十字型ロッキング具５３の第２結合孔５１に挟まれる回転軸５６と、十字型ロッキング具５３が内側に位置されて支持され、スプリング締結突起５２に一側が挟まれた復帰スプリング５５の他側が支持されるロッキング体カバー６０を備えている。これによって、ユーザーがプラグ端子１０１をロッキング体カバー６０側に引き込ませて十字型ロッキング具５３の開閉部５４を押すと、それによって十字型ロッキング具５３が回転軸５６を中心として一方向に回転する。
【００２４】
また、十字型ロッキング具５３が回転しながらロッキング止め４１から外れ、ロッキング状態が解け、十字型ロッキング具５３の両側から延びる開閉部５４が押し板３０の接続孔３２から抜け出すことになり、押し板３０の接続孔３２が開放され、ユーザーがプラグ端子１０１を継続的に押すと、回転型ロッキング体５０が下降して開放された接続孔３２側にプラグ端子１０１が挟まれることによって、プラグ端子１０１はソケット孔２２に挟まれて、電源接続ユニット１０の接続端子１１に電気的に接続される。この時、プラグ端子１０１が引き込まれる前の状態の十字型ロッキング具５３は、図４に示したように十字型ロッキング具５３の開閉部５４が押し板３０の接続孔３２の上部に位置されるので、接続孔３２が遮断される。
【００２５】
十字型ロッキング具５３の両側から各々延びる開閉部５４の上部には、一方向に傾斜した傾斜面５４ａが形成されている。
【００２６】
これにより、十字型ロッキング具５３の開閉部５４をプラグ端子１０１が押すと、開閉部５４の傾斜面５４ａにより十字型ロッキング具５３が滑るため、十字型ロッキング具５３が回転軸５６を中心として回転する。
【００２７】
また、回転軸５６を中心として十字型ロッキング具５３が回転すると、ロッキング止め４１の上部に位置していた十字型ロッキング具５３の一部分が回転しながらアース端子孔３５を開放し、回転型ロッキング体５０が下降して、プラグ端子１０１の継続的な差し込みによりソケット孔２２への差し込み動作が可能である。
【００２８】
押し板３０には、締結孔３４がさらに貫通し、ロッキング体カバー６０は、押し板３０の締結孔３４に締結される締結突起部６１と、十字型ロッキング具５３の第２結合孔５１に対応する位置に来る場合に、押し板３０の第１結合孔３３と十字型ロッキング具５３の第２結合孔５１に挟まれる結合ピン６２と、十字型ロッキング具５３の一面を密着支持する支持片６３と、押し板３０の接続孔３２と対応する差し込み孔６４と、十字型ロッキング具５３のスプリング締結突起５２に一側が挟まれた復帰スプリング５５の他側を密着して支持するスプリング支持片６５を備えている。
【００２９】
これによって、プラグ端子１０１がロッキング体カバー６０の差し込み孔６４を通して挟まれた後、十字型ロッキング具５３の開閉部５４に当たることになり、この時、プラグ端子１０１を継続的に押すと、十字型ロッキング具５３が一方向に回転することで開閉部５４により遮断された押し板３０の接続孔３２とアース端子孔３５が開放される。
【００３０】
また、ロッキング止め４１に係止されている十字型ロッキング具５３が回転によって解放されて回転型ロッキング体５０が下降する。この時、復帰スプリング５５は、スプリング支持片６５と十字型ロッキング具５３のスプリング締結突起５２に各々両側が密着しているので、十字型ロッキング具５３が回転すると、自然に復帰スプリング５５が押されることになる。従って、ユーザーがプラグ端子１０１を抜くと、押された復帰スプリング５５が本来の位置に復帰するにつれて復帰スプリング５５の復帰力によって、回転させられていた十字型ロッキング具５３は、本来の位置、即ちプラグ端子１０１が差し込まれる前の位置に復帰して、押し板３０の接続孔３２とアース端子孔３５を再び遮断する。
【００３１】
手や錐で回転型ロッキング体５０を押しても下降せず、プラグ端子挿入時に下降して、接続孔３２とアース端子孔３５が開放されて電源が連結される。これによって、外部の埃などのような異物が流入するのを防ぐことができる。
【００３２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００３３】
１０      電源接続ユニット
１１      接続端子
２０      コンセント本体
２１      プラグ収容部
２２      ソケット孔
２３      異物排出口
３０      押し板
３１      スプリング
３２      接続孔
３３、５１      結合孔結合孔
３４      締結孔
３５      アース端子孔
４０      カバー
４１      ロッキング止め
５０      回転型ロッキング体
５２      スプリング締結突起
５３      十字型ロッキング具
５４      開閉部
５４ａ      傾斜面
５５      復帰スプリング
５６      回転軸
６０      ロッキング体カバー
６２      結合ピン
６４      差し込み孔
６５      スプリング支持片
１０１      プラグ端子
【図１】
2015076406.tif 000003
【図２】
2015076406.tif 000004
【図３】
2015076406.tif 000005
【図４】
2015076406.tif 000006
【図５】
2015076406.tif 000007
【図６】
2015076406.tif 000008
【図７】
2015076406.tif 000009